(57)【特許請求の範囲】
【請求項１】
木製キッチンカウンターに形成されたシンク取付け用の開口の周縁に位置する木製キッチンカウンターの表面部に凹溝が形成され、凹溝に断面コ字型の形状を有する止水部材が上方に開放して嵌め込まれ、止水部材の内部に、シンクのフランジ外周端部が挿入されるとともに、コーキング材が充填されることを特徴とする木製キッチンカウンターへのシンクの取付構造。
【請求項２】
シンク取付け用の開口の周縁に表面から木口にかけて防水テープが貼り付けられる請求項１記載の木製キッチンカウンターへのシンクの取付構造。
【請求項３】
シンクのフランジと防水テープとの間に弾性止水部材が介設される請求項１または２記載の木製キッチンカウンターへのシンクの取付構造。
【発明の詳細な説明】
【技術分野】
【０００１】
本願発明は、木製キッチンカウンターに耐水性を付与してシンクを取り付けるための構造に関する。
【背景技術】
【０００２】
キッチンカウンターに形成されたシンク取付け用の開口にシンクを簡便に取り付け、開口周縁とシンクのフランジとの隙間への水の浸入を防ぐために、開口を開口縁から垂設されたガイドによって仕切り、キッチンカウンターの裏面に開口を囲むように四角枠状に桟木を取り付け、ガイドと桟木とにより形成されたキッチンカウンター裏面の区画に、シンクのフランジを止水材を介して接着固定するキッチンカウンターへのシンクの取付構造が本出願人により提案されている（特許文献１）。
【特許文献１】特開２００４−２８３３７６公報
【発明の開示】
【発明が解決しようとする課題】
【０００３】
特許文献１に記載されたようなシンクをキッチンカウンターの裏面に接着固定する取付構造は、キッチンカウンターが人工大理石などの樹脂製のキッチンカウンターに主に適用されるものであり、木製キッチンカウンターでは、シンク取付け用の開口の周縁木口の保護が必要不可欠であり、上記取付構造は採用されていない。木製キッチンカウンターには、シンク取付け用の開口にシンクを落とし込み、シンクのフランジをシンク取付け用の開口の周縁表面に載置し、シンクを連結するのが一般的である。シンク取付け用の開口周縁における防水性は、木製キッチンカウンターの表面とシンクのフランジとの間にシリコン系などのコーキング材を充填することにより付与されているが、コーキング材だけでは水漏れの信頼性が低いことが指摘される。また、シンクのフランジ外周端に常時水が溜まらないとも限らないので、この場合、木製キッチンカウンターであるがゆえにカビの発生や防水性の面が懸念される。
【０００４】
本願発明は、このような事情に鑑みてなされたものであり、木製キッチンカウンターへの防水性の付与を確実に行うことのできる木製キッチンカウンターへのシンクの取付構造を提供することを課題としている。
【課題を解決するための手段】
【０００５】
本願発明は、上記の課題を解決するために、第１に、木製キッチンカウンターに形成されたシンク取付け用の開口の周縁に位置する木製キッチンカウンターの表面部に凹溝が形成され、凹溝に断面コ字型の形状を有する止水部材が上方に開放して嵌め込まれ、止水部材の内部に、シンクのフランジ外周端部が挿入されるとともに、コーキング材が充填されることを特徴としている。
【０００６】
本願発明は、第２に、シンク取付け用の開口の周縁に表面から木口にかけて防水テープが貼り付けられることを特徴としている。
【０００７】
本願発明は、第３に、シンクのフランジと防水テープとの間に弾性止水部材が介設されることを特徴としている。
【発明の効果】
【０００８】
本願の第１の発明によれば、シンク取付け用の開口の周縁に位置する木製キッチンカウンターの表面部に形成された凹溝に断面コ字型の形状を有する止水部材が上方に開放して嵌め込まれ、止水部材の内部に、シンクのフランジ外周端部が挿入されるとともに、コーキング材が充填されるため、木製キッチンカウンターへの防水性の付与が確実となり、水漏れの信頼性が向上する。また、シンクのフランジと木製キッチンカウンターとが略面一に配置され、連続的な面が形成され、見栄えが良好となる。
【０００９】
本願の第２の発明によれば、シンク取付け用の開口の周縁に表面から木口にかけて防水テープが貼り付けられるため、シンク取付け用の開口の周縁木口も保護され、木口に防水性が付与される。木製キッチンカウンターへの防水性の付与がより確実となる。
【００１０】
本願の第３の発明によれば、シンク取付け用の開口の周縁に載置されるシンクのフランジとの間に弾性止水部材が介設されるので、防水テープとの併用により、木製キッチンカウンターへの防水性の付与がより一層確実となる。しかも、弾性止水部材は、温度、湿度などの周囲の環境変化に容易に追随することができるので、防水性が長期間にわたって安定に保持される。
【発明を実施するための最良の形態】
【００１１】
図１は、本願発明の木製キッチンカウンターへのシンクの取付構造の一実施形態を示した平面図である。図２は、図１図中のＡ−Ａ断面図である。
【００１２】
木製キッチンカウンター１には、シンク取付け用の略矩形形状を有する開口２が形成されている。シンク３は、開口２内に落とし込まれ、外周の外側にのびるフランジ３１が開口２の周縁に載置されて木製キッチンカウンター１に結合されている。
【００１３】
フランジ３１は、図２に示したように、外周端において斜め下方に折れ曲がり、傾斜部３２を形成し、傾斜部３２から裏に回り込んで二重に重なり、傾斜部３２の内側において下方に垂下し、連結片３３を形成している。フランジ３１の木製キッチンカウンター１への結合は、連結片３３を介して行われる。
【００１４】
木製キッチンカウンター１には、開口２の周縁木口に対向して配置されるバネ片４１および挟持片４２を備えた支持具４が配設されている。支持具４においてバネ片４１は、挟持片４２よりわずかに外側に配置されており、バネ片４１と挟持片４２との間に部材の差込みが可能とされ、差し込まれた部材に対してバネ片４１が有する弾性力を作用させ、バネ片４１と挟持片４２との間に部材を挟持するようになっている。このような支持具４は、固定具５によって木製キッチンカウンター１に固定されている。
【００１５】
すなわち、支持具４は、バネ片４１および挟持片４２の下端から略直角にのびる接続片４３を備えてもおり、接続片４３には、ボルト孔４４が形成され、ボルト孔４４とネジ穴を同軸上に配置してナット４５が固定されている。
【００１６】
固定具５は、断面略コ字型の形状を有し、互いに対向する上片５１、下片５２のそれぞれに同軸上にボルト孔が形成されている。下片５２は、上片５１に比べ幅広としており、略中央部から斜め上方に傾斜し、先端に略直角に立ち上がる引っ掛け部５３を有している。
【００１７】
支持具４の取付けに際しては、まず、固定具５の下片５２の引っ掛け部５３を開口２の周縁の木製キッチンカウンター１の裏面に引っ掛け、固定具５を開口２の内側に配置する。次いで、支持具４の接続片４３を固定具５の上片５１と下片５２との間に配置するとともに、バネ片４１および挟持片４２を開口２の周縁木口に対向配置する。この後、ボルト６を固定具５の下片５２の下側から挿入し、支持具４の接続片４３に固定されたナット４５のネジ穴にねじ込み、上端部を上片５１から上側に貫通させる。こうして、支持具４は、開口２の内側に配置されて木製キッチンカウンター１に固定される。
【００１８】
なお、固定具５の下片５２は、木製キッチンカウンター１が配設されるキャビネット本体の収納スペースに入り込まないように、木製キッチンカウンター１の下端より下方に突出しないことが好ましい。このために、木製キッチンカウンター１の開口２の周縁裏面部には切欠１１１を形成しておくことができる。
【００１９】
シンク３は、連結片３３を、以上のようにして木製キッチンカウンター１に取り付けられた支持具４のバネ片４１と挟持片４２との間に差し込み、バネ片４１に発生する弾性力により挟持片４２との間に挟持させることによって、木製キッチンカウンター１に十分な結合力で結合される。
【００２０】
そして、図１および図２に示した木製キッチンカウンターへのシンクの取付構造では、開口２の周縁に位置する木製キッチンカウンター１の表面部に凹溝１１２が形成され、凹溝１１２に断面コ字型の形状を有する止水部材７が上方に開放して嵌め込まれる。止水部材７の内部には、シンク３のフランジ３１の外周端部に形成された傾斜部３２が挿入されるとともに、コーキング材８が充填される。
【００２１】
このように、凹溝１１２に防水性を有する止水部材７が嵌め込まれるため、凹溝１１２を形成したことによる木製キッチンカウンター１の防水性の低下はなく、止水部材７によって木製キッチンカウンター１の表面部に防水性が付与される。シンク３のフランジ３１の外周端部、すなわち、傾斜部３２は、凹溝１１２に上方に開放して嵌め込まれた止水部材７の内部に挿入されるため、フランジ３１を伝って流れる水がフランジ３１の裏側まで回り込むのが防止される。そして、止水部材７の内部にコーキング材８が充填されるため、木製キッチンカウンター１への防水性の付与が確実となる。水漏れの信頼性が向上する。シンク３のフランジ３１の外周端、すなわち、傾斜部３２の先端、に水溜りが生じたとしても、木製キッチンカウンター１の表面は濡れることはなく、カビの発生や防水性の低下を防ぐことができる。また、図２に示したように、シンク３のフランジ３１と木製キッチンカウンター１とが略面一に配置され、連続的な面が形成され、見栄えが良好となる。
【００２２】
止水部材７は、防水性を有するものが採用される。弾力性をも有すれば好ましい。たとえばＥＤＰＭなどのゴムなどが例示される。コーキング材８については、止水部材７の内部への充填が容易であるものが好ましい。シリコン系などの各種のものが採用可能である。
【００２３】
また、図１および図２に示した木製キッチンカウンターへのシンクの取付構造では、開口２の周縁に表面から木口にかけて防水テープ９が貼り付けられる。防水テープ９には、たとえばアクリル樹脂製などの防水性を有するテープが使用可能である。エースクロス０７１粗面用（光洋化学製）などが具体的に例示される。防水テープ９の貼付は支持具４の取付け以前に行われる。このように、開口２の周縁に表面から木口にかけて防水テープ９が貼り付けられることにより、開口２の周縁木口も保護され、木口にも防水性が付与される。木製キッチンカウンターへの防水性の付与がより確実となる。
【００２４】
さらに、図１および図２に示した木製キッチンカウンターへのシンクの取付構造では、開口２の周縁に載置されるシンク３のフランジ３１と防水テープ９との間に弾性止水部材１０が介設される。弾性止水部材１０は、シンク３のフランジ３１を木製キッチンカウンター１に結合する際に、防水テープ９との間に介在させることができる。弾性止水部材１０は、たとえばスポンジ状などの弾性を有する防水性の部材であり、エプトシーラーＥＰ−１０１０（日東電工製）などが具体的に例示される。弾性止水部材１０は、防水テープ９との併用により、木製キッチンカウンター１への防水性の付与をより一層確実にする。しかも、弾性止水部材１０は、温度、湿度などの周囲の環境変化に容易に追随することができるので、防水性が長期間にわたって安定に保持される。
【００２５】
木製キッチンカウンター１は、たとえば合板１１３の表裏面に突板が貼着され、木口に無垢材１１４が貼着されたものとすることができる。このような木製キッチンカウンター１では、万一シンク３のフランジ３１を伝って木製キッチンカウンター１の表面を流れ、裏面に水が回り込むのを防止するために、前端裏面部に凹溝１１５を刻設することができる。凹溝１１５によって水を切る。この場合、凹溝１１５の刻設によって合板１１３が露出することになるので、凹溝１１５には、断面略コ字型の形状を有するアルミニウムなどの軽量金属から形成された止水桟１１を嵌め込むことができる。
【図面の簡単な説明】
【００２６】
【図１】本願発明の木製キッチンカウンターへのシンクの取付構造の一実施形態を示した平面図である。
【図２】図１図中のＡ−Ａ断面図である。
【符号の説明】
【００２７】
１    木製キッチンカウンター
１１１    切欠
１１２    凹溝
１１３    合板
１１４    無垢材
１１５    凹溝
２    開口
３    シンク
３１    フランジ
３２    傾斜部
３３    連結片
４    支持具
４１    バネ片
４２    挟持片
４３    接続片
４４    ボルト孔
４５    ナット
５    固定具
５１    上片
５２    下片
５３    引っ掛け部
６    ボルト
７    止水部材
８    コーキング材
９    防水テープ
１０    弾性止水部材
１１    止水桟
【図１】
0004661675.tif 000002
【図２】
0004661675.tif 000003